(57)【要約】  生地結合編成の分野において、各生地品の固有の柔軟性を維持しながら、生地品を別の生地品に接合する必要性が存在する。生地取付形成体（１０、５０）は、第１の糸（１６）の一連のインターロック・ループ（１４）により形成された生地構造（１２）を備える。生地構造（１２）は、第１の糸（１６）に隣接して設けられた伸長結合要素（２０）をさらに含む。第１の糸（１６）の周囲（２２）における結合要素（２０）の位置は、第１の糸（１６）の長さに沿って変化する。【選択図】      図１
2013501861.tif 000002
【特許請求の範囲】
【請求項１】
第１の糸の一連のインターロック・ループにより形成された生地構造を備え、前記生地構造が、前記第１の糸に隣接して設けられた伸長結合要素を含み、前記第１の糸の周囲における前記結合要素の位置が、前記第１の糸の長さに沿って変化する、生地取付形成体。
【請求項２】
前記第１の糸の周囲に対する前記結合要素の位置が、ランダムに変化する、請求項１に記載の生地取付形成体。
【請求項３】
前記生地構造の第１の側において露出した前記結合要素の部分が、別個の結合領域を画定する、請求項１または２に記載の生地取付形成体。
【請求項４】
前記生地構造が、前記第１の糸に沿って設けられた第２の糸をさらに含む、請求項１〜３のいずれか一項に記載の生地取付形成体。
【請求項５】
前記第１の糸および／または前記第２の糸のうちの少なくとも一方が、マルチフィラメント糸である、請求項１〜４のいずれか一項に記載の生地取付形成体。
【請求項６】
前記伸長結合要素の直径が、前記第１の糸または前記第１の糸と前記第２の糸との両方の直径よりも小さい、請求項１〜５のいずれか一項に記載の生地取付形成体。
【請求項７】
前記生地構造が、伸長中空構造を画定する、請求項１〜６のいずれか一項に記載の生地取付形成体。
【請求項８】
前記中空構造が、中空筒状構造である、請求項７に記載の生地取付形成体。
【請求項９】
第１および第２の端部を含む弾力的に変形可能な湾曲した支持部材を備え、前記第１および第２の端部の各々には、請求項１〜８のいずれか一項に記載の活性化生地取付形成体が接着され、前記または各活性化生地取付形成体が、複数の別個の第１の結合形成体により前記支持部材に接着されている、乳房支持編成用の生地支持組立体。
【請求項１０】
前記または各活性化生地取付形成体が、伸長中空構造を画定し、各伸長中空構造が、前記支持部材のそれぞれの第１または第２の端部を受容する、請求項９に記載の生地支持組立体。
【請求項１１】
一方の活性化生地取付形成体の前記中空構造が、他方の活性化生地取付形成体の前記中空構造に一体的に形成されている、請求項１０に記載の生地支持組立体。
【請求項１２】
前記第１の糸の一部分が、別個の第２の結合形成体により互いに結合されている、請求項９〜１１のいずれか一項に記載の生地支持組立体。
【請求項１３】
第１および第２のケーシング端部を有するとともに請求項９〜１２のいずれか一項に記載の生地支持組立体が内部に設けられた中空筒状生地ケーシングを備え、前記生地支持組立体の前記または各活性化生地取付形成体が、対応するケーシング端部に対して固定されている、乳房支持編成用のケーシング組立体。
【請求項１４】
前記または各活性化生地取付形成体が、１つ以上の縫い目によりそれぞれのケーシング端部に対して固定されている、請求項１３に記載のケーシング組立体。
【請求項１５】
請求項９〜１２のいずれか一項に記載の生地支持組立体を組み込んだ乳房支持編成。
【請求項１６】
請求項１３または１４に記載のケーシング組立体を組み込んだ乳房支持編成。
【請求項１７】
（ａ）第１の糸の周りに伸長結合要素を巻き付けるステップであって、前記第１の糸の周囲における前記結合要素の位置が、前記第１の糸の長さに沿って変化する、ステップと、
（ｂ）組み合わせられた結合要素と前記第１の糸とを一連のインターロック・ループに形成することで、生地構造を形成するステップと
を含む、生地取付形成体を製造する方法。
【請求項１８】
前記第１の糸の周りに伸長結合要素を巻き付けるステップが、前記第１の糸の周りに前記伸長結合要素をランダムに巻き付けるステップを含む、請求項１７に記載の生地取付形成体を製造する方法。
【請求項１９】
（ａ）第１および第２の端部を有する弾力的に変形可能な支持部材を準備するステップと、
（ｂ）請求項１〜８のいずれか一項に記載の生地取付形成体を前記第１および第２の端部の各々に係合させるステップと、
（ｃ）前記または各生地取付形成体を活性化させることで、それぞれの前記生地取付形成体を複数の別個の第１の結合形成体を介して対応する前記第１または第２の端部に接着させるステップと
を含む、生地支持組立体を製造する方法。
【請求項２０】
前記生地取付形成体を前記第１および第２の端部の各々に係合させるステップが、各端部を前記または各生地取付形成体の伸長中空構造に挿入するステップを含む、請求項１９に記載の生地支持組立体を製造する方法。
【請求項２１】
前記または各伸長中空構造を長さ方向に伸張させることで、前記伸長中空構造を前記支持部材の少なくとも対応する第１または第２の端部に摩擦係合させるステップをさらに含む、請求項２０に記載の生地支持組立体を製造する方法。
【請求項２２】
前記または各生地取付形成体を活性化させるステップが、前記結合要素を融解させるステップを含む、請求項１９〜２１のいずれか一項に記載の生地支持組立体を製造する方法。
【請求項２３】
添付図面を参照して本明細書に記載した、および／または添付図面に示した、生地取付形成体。
【請求項２４】
添付図面を参照して本明細書に記載した、および／または添付図面に示した、生地支持組立体。
【請求項２５】
添付図面を参照して本明細書に記載した、および／または添付図面に示した、ケーシング組立体。
【請求項２６】
添付図面を参照して本明細書に記載した、および／または添付図面に示した、乳房支持編成。
【請求項２７】
添付図面を参照して本明細書に記載した、および／または添付図面に示した、生地取付形成体を製造する方法。
【請求項２８】
添付図面を参照して本明細書に記載した、および／または添付図面に示した、生地支持組立体を製造する方法。
【発明の詳細な説明】
【技術分野】
【０００１】
本発明は、生地取付形成体、活性化生地取付形成体を含む生地支持組立体、生地支持組立体を含むケーシング組立体、生地支持組立体またはケーシング組立体を含む乳房支持編成、生地取付形成体を製造する方法、および生地支持組立体を製造する方法に関する。
【背景技術】
【０００２】
品物を接合するために接着剤を用いることが周知である。例えば、液体またはテープの形態の接着剤を用いて、天然または合成繊維で形成された生地品を別の生地品または別の基材に接合することができる。
【０００３】
液体またはテープ状の接着剤は、生地品と他方の生地品との間にパターン状に形成され、接着剤が硬化すると、生地品と他方の生地品との間に結合が形成される。
【発明の概要】
【発明が解決しようとする課題】
【０００４】
上述の従来の手法の１つの欠点は、接着剤が硬化することにより生地品と他方の生地品との両方が硬くなることである。これにより、組み合わせられた品物を加工することが困難になり、それらの品物が組み込まれた衣服を着用することが快適でなくなってしまう。
【課題を解決するための手段】
【０００５】
本発明の第１の態様によれば、第１の糸の一連のインターロック・ループにより形成された生地構造を備え、生地構造は、第１の糸に隣接して設けられた伸長結合要素をさらに含み、第１の糸の周囲における結合要素の位置は、第１の糸の長さに沿って変化する、生地取付形成体が提供される。
【０００６】
第１の糸の周囲における伸長結合要素の位置を変化させることは、結合要素の別個の部分が取付形成体の所与の側に露出することを意味する。その結果、結合要素が活性化、例えば硬化前に融解されると、生地取付形成体の少なくとも一方側に、別個で不連続な結合形成体が形成される。
【０００７】
これらの別個の結合形成体は、取付形成体を別の基材に結合させるか、または第１および第２の基材の間に設けられた取付形成体が第１および第２の基材をともに結合させるためには十分である。しかし、結合形成体は別個であるため、生地取付形成体は、そのインターロック・ループ構造により提供される柔軟性を保持することが可能であり、生地取付形成体が結合されたそのまたは各基材は、同様に固有の柔軟性を維持することが可能である。
【０００８】
任意選択で、第１の糸の周囲に対する結合要素の位置はランダムに変化する。位置がランダムに変化することにより、結合要素を活性化させたときに別個の  結合形成体が形成されることを維持しながら、生地取付形成体を製造することができる方法が簡略化される。
【０００９】
好ましくは、生地構造の第１の側において露出した結合要素の部分は、別個の結合領域を画定する。構造の第１の側が別個の結合形成体を画定することにより、取付形成体および基材がそれらの柔軟性を維持するような方法で、生地取付形成体が少なくとも１つの基材に接着可能であることが保証される。
【００１０】
本発明の好適な実施形態において、生地構造は、第１の糸に沿って設けられた第２の糸をさらに含む。第２の糸を含むことにより、生地取付形成体は、２つのより小径の糸を利用することができ、単一のより大径の糸により提供されるのと同じ引っ張り強度を維持しながら、形成体の固有の柔軟性を増加させることができる。
【００１１】
加えて、伸長結合要素を第１および第２の糸の間に選択的に挟むことにより、第１および第２の糸を越えて露出しない結合形成体が（第１および第２の糸の間に）形成される。かかる隠れた結合形成体は、取付形成体の基材へのまたは基材間での結合に寄与せず、結合された編成の柔軟性がさらに維持される。
【００１２】
第１の糸および／または第２の糸のうちの少なくとも一方は、マルチフィラメント糸であってもよい。マルチフィラメント糸を含むことにより、生地構造の固有の柔軟性が、同じ全径のモノフィラメント糸で達成される柔軟性に比べて増加する。さらにその上、隣接するフィラメント間の空間は、活性化された結合要素を受容し、生地取付形成体の所与の側において露出する結合要素の量を制限する。これにより、露出した結合形成体のサイズが、適正な接着を保証するためには十分であるが、結合された編成の柔軟性を損なうほどには大きくならない。
【００１３】
本発明の別の好適な実施形態において、伸長結合要素の直径は、第１の糸または第１の糸と第２の糸との両方の直径よりも小さい。より小径の結合要素を有することにより、結合要素が生地構造のインターロック・ループ内に容易に組み込まれることを保証することが助けられる。また、結合要素を活性化させたときに構造に導入される結合要素の量が制限される。
【００１４】
任意選択で、生地構造は伸長中空構造を画定する。生地構造が中空構造を画定することにより、所望される柔軟度を維持しながら、そうでなければ生地取付形成体の縁部の仕上げに伴い得る困難が低減される。
【００１５】
本発明のさらなる好適な実施形態において、中空構造は中空筒状構造である。中空筒状構造を含むことにより、例えば生地取付形成体が基材間のパターンに形成される際に、生地取付形成体のよじれを低減することが助けられる。
【００１６】
本発明の第２の実施形態によれば、第１および第２の端部を含む弾力的に変形可能な湾曲した支持部材を備え、第１および第２の端部の各々には、本明細書中において上記の活性化生地取付形成体が接着され、前記または各活性化生地取付形成体は、複数の別個の第１の結合形成体により支持部材に接着されている、乳房支持編成用の生地支持組立体が提供される。
【００１７】
少なくとも１つの生地取付形成体を含むことにより、本質的に従来の組立ステップ、すなわち本質的に従来の生地をベースとする組立ステップを介して、本発明の生地支持組立体を支持編成、例えば乳房支持編成に容易に組み込むことができる。
【００１８】
任意選択で、そのまたは各活性化生地取付形成体は、伸長中空構造を画定し、各伸長中空構造は、支持部材のそれぞれの第１または第２の端部を受容する。伸長中空構造を含むことにより、前記または各生地取付形成体を支持部材の対応する端部に係合させる簡便な方法が提供される。
【００１９】
本発明の好適な実施形態において、一方の活性化生地取付形成体の中空構造は、他方の活性化生地取付形成体の中空構造に一体的に形成されている。かかる編成により、中空構造を単一物として構成することができ、それにより、生地支持組立体の製造が能率化され、製造コストを低減することが助けられる。
【００２０】
第１の糸の部分は、別個の第２の結合形成体により互いに結合されていてもよい。第１の糸の部分を互いに結合することにより、そのまたは各伸長中空構造が所望される構成、例えば支持部材に摩擦係合した状態のままであることを保証することが助けられる。
【００２１】
本発明の第３の態様によれば、第１および第２のケーシング端部を有するとともに本明細書中において上記の生地支持組立体が内部に設けられた中空筒状生地ケーシングを備え、生地支持組立体の、前記または各活性化生地取付形成体は、対応するケーシング端部に対して固定されている、乳房支持編成用のケーシング組立体が提供される。
【００２２】
前記または各活性化生地取付形成体を上述のように固定することにより、生地支持組立体のケーシングに対する移動が抑止され、支持部材が筒状生地ケーシング内において不正確に位置決めされることおよびきしみ音の問題が回避される。
【００２３】
一方、結合形成体の別個で不連続な性質は、生地支持組立体がその柔軟性を維持し、ケーシング組立体が衣服に組み込まれたときに快適なものになるということを意味する。
【００２４】
前記または各活性化生地取付形成体は、１つ以上の縫い目によりそれぞれのケーシング端部に対して固定されていてもよい。縫い合わせは衣服における他の場所で利用される可能性が非常に高いので、かかる縫い目は、衣服組立プロセス内に容易に組み込むことが可能である。
【００２５】
本発明の第４の態様によれば、本明細書中において上記の生地支持組立体を組み込んだ乳房支持編成が提供される。
【００２６】
本発明の第５の態様によれば、本明細書中において上記のケーシング組立体を組み込んだ乳房支持編成が提供される。
【００２７】
上述の乳房支持編成は、対応する生地支持組立体およびケーシング組立体に関連する利益を共有する。
【００２８】
本発明の第６の態様によれば、
（ａ）第１の糸の周りに伸長結合要素を巻き付けるステップであって、第１の糸の周囲における結合要素の位置は、第１の糸の長さに沿って変化する、ステップと、
（ｂ）組み合わせられた結合要素と第１の糸とを一連のインターロック・ループに形成することで、生地構造を形成するステップと
を含む、生地取付形成体を製造する方法が提供される。
【００２９】
第１の糸の周囲における伸長結合要素の位置を変化させることは、結合要素の別個の部分が露出することを意味し、結合要素が活性化されると、生地取付形成体の少なくとも一方側に、別個で不連続な結合形成体が形成される。
【００３０】
かかる別個の結合形成体は、結合が生じたときに生地取付形成体がその柔軟性を維持することを可能にしながら、十分な結合を提供することが可能である。
【００３１】
任意選択で、第１の糸の周りに伸長結合要素を巻き付けるステップは、第１の糸の周りに伸長結合要素をランダムに巻き付けるステップを含む。かかるステップにより、製造プロセスにおいて要求される制御が削減され、比較的単純な機械および比較的未熟な工員により制御を行うことができる。
【００３２】
本発明の第７の態様によれば、
（ａ）第１および第２の端部を有する弾力的に変形可能な支持部材を準備するステップと、
（ｂ）本明細書中において上記の生地取付形成体を第１および第２の端部の各々に係合させるステップと、
（ｃ）そのまたは各生地取付形成体を活性化させることで、それぞれの生地取付形成体を複数の別個の第１の結合形成体を介して対応する第１または第２の端部に接着させるステップと、
を含む、生地支持組立体を製造する方法が提供される。
【００３３】
本明細書中において上記の生地取付形成体を利用することにより、生地取付形成体と支持部材との間に別個の結合形成体を形成しながら、同時に両方の品物を組み合わせることができる。上述のように、かかる別個の結合形成体は、品物の柔軟性を維持しながら、品物間の所望される結合度を提供する。
【００３４】
好ましくは、生地取付形成体を第１および第２の端部の各々に係合させるステップは、各端部をそのまたは各生地取付形成体の伸長中空構造に挿入するステップを含む。
【００３５】
かかるステップは、自動化された製造プロセスにより容易に行うことができる。
【００３６】
生地支持組立体を製造する好適な方法は、前記または各伸長中空構造を長さ方向に伸張させることで、前記伸長中空構造を支持部材の少なくとも対応する第１または第２の端部に摩擦係合させるステップをさらに含む。
【００３７】
前記または各伸長中空構造を伸張させることにより、前記または各構造が支持部材に所望される初期の程度まで固定される。
【００３８】
前記または各生地取付形成体を活性化させるステップは、結合要素を融解させるステップを含むと簡便である。かかる活性化は、製造プロセス中に制御下で、例えば加熱および／または超音波振動により、容易に行うことが可能である。
【００３９】
続いて、以下の添付図面を参照して、非限定的な例により本発明の好適な実施形態を簡単に説明する。
【図面の簡単な説明】
【００４０】
【図１】本発明の第１の実施形態による生地取付形成体の一部分を上方から見た拡大平面図である。
【図２（ａ）】図１の断面Ａ−Ａを示す断面図である。
【図２（ｂ）】図１の断面Ｂ−Ｂを示す断面図である。
【図２（ｃ）】図１の断面Ｃ−Ｃを示す断面図である。
【図２（ｄ）】図１の断面Ｄ−Ｄを示す断面図である。
【図３】図１に示す生地取付形成体の斜視図である。
【図４（ａ）】結合要素の活性化後における図２（ａ）に示す編成を示す。
【図４（ｂ）】結合要素の活性化後における図２（ｂ）に示す編成を示す。
【図４（ｃ）】結合要素の活性化後における図２（ｃ）に示す編成を示す。
【図４（ｄ）】結合要素の活性化後における図２（ｄ）に示す編成を示す。
【図５】結合要素の活性化後における図１に示す生地取付形成体の概略図である。
【図６（ａ）】本発明の第２の実施形態による生地取付形成体の断面を示す第１の断面図である。
【図６（ｂ）】図６（ａ）に示す生地取付形成体を示す第２の断面図である。
【図６（ｃ）】結合要素の活性化後における図６（ａ）に示す編成を示す。
【図７】本発明の第３の実施形態による生地支持形成体を上方から見た平面図である。
【図８】図６に示す生地支持形成体を一方側から見た部分断面図である。
【図９】本発明の第３の実施形態による生地支持形成体を上方から見た平面図である。
【図１０】本発明の第４の実施形態によるケーシング組立体を上方から見た部分断面平面図である。
【発明を実施するための形態】
【００４１】
本発明の第１の実施形態による生地取付形成体を全体的に参照番号１０で示す。
【００４２】
生地取付形成体１０は、第１の糸１６の一連のインターロック・ループ１４により形成された生地構造１２を有する。図示の実施形態において、第１の糸１６は、マルチフィラメント縫い糸１８である。本文において、縫い糸とは、ＩＳＯ４９１５；１９９１において規定されている最小靭性を達成する糸である。
【００４３】
好適なマルチフィラメント縫い糸１８は、Coats社のEpic（登録商標）、Gral（登録商標）、Delta（登録商標）、もしくはSeamsoft（登録商標）糸、またはOxley社のLubrilox（登録商標）もしくはAptan（登録商標）糸などのポリアミドまたはポリエステル糸を含む。
【００４４】
本発明の他の実施形態（図示せず）において、第１の糸１６は、モノフィラメント糸であってもよい。
【００４５】
また、生地構造１２は、図１に示すように、第１の糸１６に隣接して設けられた伸長結合要素２０も含む（明瞭化のため、ループ１４のうちの１つのコース上の結合要素２０のみを示す）。
【００４６】
結合要素２０は、ポリアミド、ポリエステル、ポリウレタン、ポリウレタン尿素、もしくはポリプロピレン、またはこれらの材料のいずれかの組合せなどの熱可塑性材料であるか、またはそれらを含む。好ましくは、結合要素２０は、Luxilon Industries NV社のThermolux（登録商標）撚糸またはEMS Chemie AG社のGrilon（登録商標）撚糸などの低融点、すなわち１１０℃未満のモノフィラメント撚糸から形成される。
【００４７】
結合要素２０の直径は、第１の糸１６の直径よりも小さい。図示の実施形態において、結合要素２０の直径は、第１の糸１６の全径の大凡５分の１である。本発明の他の実施形態（図示せず）において、第１の糸１６の直径対結合要素２０の直径比は、２：１〜１０：１の範囲であることが可能である。
【００４８】
図２（ａ）〜図２（ｄ）に示すように、第１の糸１６の周囲２２における結合要素２０の位置は、第１の糸１６の長さに沿って変化する。図示の実施形態において、周囲２２における結合要素２０の位置は、ランダムに変化する。
【００４９】
図１に見られるように、生地構造１２の第１の側２４は、結合要素２０の一部分が露出したいくつかの領域を含む。そのため、第１の側２４は、複数の別個の結合領域２６を画定している。
【００５０】
また、図３に示すように、生地構造１２は、伸長中空構造２８、とりわけ中空筒状構造３０を画定している。
【００５１】
使用に際し、生地取付形成体１０は、基材に対して、または２つの基材間に、所望されるように位置決めされる。次いで、結合要素２０を活性化させる、例えば加熱により融解させる。図４（ａ）〜図４（ｄ）に示すように、結合要素２０は、マルチフィラメントの第１の糸１６における隣接するフィラメント３２の間の空間に流入する。第１の糸１６の周囲における結合要素２０の変化する位置により形成される露出した別個の結合領域の各々、例えば生地構造１２の第１の側２４における露出した別個の結合領域２６は、硬化したときに生地取付形成体１０を１つまたは両方の基材に結合させる第１の別個の結合形成体３４を形成する。
【００５２】
互いに重なった第１の糸１６のそれぞれの部分の間には、第２の別個の結合形成体３６が形成される。これらの第２の結合形成体は、生地構造１２の一体性を維持することを助ける。
【００５３】
第１および第２の別個の結合形成体３４、３６は、所望される結合度を提供するために十分であるが、それらの別個で不連続な性質により、生地取付形成体１０がそのインターロック・ループ１４構造により提供される柔軟性を維持することができ、次いで、そのまたは各基材がその固有の柔軟性を維持することも可能になる。
【００５４】
図６（ａ）は、本発明の第２の実施形態による生地取付形成体５０の断面を示す断面図である。第２の生地取付形成体５０は、いくつかのフィーチャが第１の生地取付形成体１０と共通であり、これらのフィーチャは、同じ参照番号を用いて示す。
【００５５】
第２の生地取付形成体５０は、その生地構造１２が第１および第２の糸１６、５２の一連のインターロック・ループにより形成されているという点において第１の生地取付形成体１０と異なる。第２の糸５２も、マルチフィラメント縫い糸１８であるが、第２の生地取付形成体５０における第１および第２の糸１６、５２のそれぞれの直径は、第１の生地取付形成体１０における第１の糸１６の直径よりも小さい。
【００５６】
使用に際し、第２の生地取付形成体５０は、第１の生地取付形成体１０と同様に機能する。２つのより小径の第１および第２の糸１６、５２を含むことは、第２の生地取付形成体５０が第１の生地取付形成体１０と同じ引っ張り強度を有しながらも、さらに柔軟な構造を有することが可能であることを意味する。
【００５７】
加えて、図６（ｃ）に示すように、結合要素２０を活性化させると、重なった第１および第２の糸１６、５２の間に第３の結合形成体５４が形成される。これらの第３の形成体５４は、露出していないため、第２の取付形成体５０の１つ以上の基材への結合には寄与しない。
【００５８】
第１および第２の生地取付形成体１０、５０の各々は、結合要素２０が第１の糸１６の長さに沿って延在するに従って第１の糸１６の周囲２２における結合要素２０の位置が変化するように、伸長結合要素２０を第１の糸１６の周りに巻き付けることにより作製される。次いで、組み合わせられた結合要素２０と第１の糸１６とを一連のインターロック・ループ１４に形成することで、生地構造１２を形成する。
【００５９】
一連のインターロック・ループ１４は、編み込みにより形成してもよく、とりわけ丸編み機により形成してもよい。結合要素２０は、編み機に進入する際に第１の糸１６に巻き付けてもよい。かかる巻き付けにより、結合要素２０が第１の糸１６の周囲にランダムに撚り合わせられがちになる。
【００６０】
本発明の第３の実施形態による生地支持組立体を全体的に参照番号７０で示す。
【００６１】
図７に示すように、生地支持組立体７０は、第１および第２の端部７４、７６を有する弾力的に変形可能な支持部材７２を含む。
【００６２】
支持部材７２は、金属から形成されている。本発明の他の実施形態（図示せず）において、支持部材７２は、プラスチック材料などの別の弾力的に変形可能な材料から形成されてもよい。
【００６３】
各端部７４、７６には、活性化生地取付形成体７８が固定されている。
【００６４】
各活性化生地取付形成体７８は、上述の第１の生地取付形成体１０と本質的に同じ生地構造１２を有する。しかし、活性化された形態において、結合要素２０は活性化、例えば融解されており、生地構造１２は、複数の別個の第１および第２の結合形成体３４、３６を含む。
【００６５】
各活性化生地取付形成体７８の伸長中空構造２８は、支持部材７２のそれぞれの第１または第２の端部７４、７６を受容する。
【００６６】
図示の実施形態において、各伸長中空構造２８は、支持部材７２の対応する端部７４、７６に摩擦係合している。
【００６７】
第１の糸１６の部分は、各伸長中空構造２８を支持部材７２の対応する端部７４、７６に摩擦係合した状態に維持するように、別個の第２の結合形成体３６により互いに結合されている。
【００６８】
加えて、第１の糸１６の部分は、複数の別個の第１の結合形成体３４を介して支持部材７２に直接結合されている。
【００６９】
支持部材７２のそれぞれの端部７４、７６を越えて延在する各活性化生地取付形成体７８の領域は、平坦化された断面プロファイルを採っている。
【００７０】
別個の第１および第２の結合形成体３４、３６の形成は、各活性化生地取付形成体７８の全体がその柔軟性を維持することを意味し、各活性化生地取付形成体７８の支持部材係合領域８２と対応する平坦化領域８４との間のスムーズな遷移８０を可能にする。
【００７１】
上述のように、各活性化生地取付形成体７８は、柔軟なままであるため、縫い針により容易に貫通することが可能であり、各形成体７８を１つ以上の縫い目により乳房支持編成内に固定することができる。次いで、乳房支持編成は、衣料品、乳房支持下着品、またはブラジャの形態としてもよい。
【００７２】
本発明の第４の実施形態による生地支持組立体を全体的に参照番号９０で示す。
【００７３】
図９に示すように、第２の生地支持組立体９０は、いくつかのフィーチャが第１の生地支持組立体７０と共通であり、同様のフィーチャは、同じ参照番号を用いて示す。
【００７４】
第２の生地支持組立体９０において、１つの活性化生地取付形成体７８の伸長中空構造２８は、他方の活性化生地取付形成体７８の伸長中空構造２８に連結されている。とりわけ、伸長中空構造２８は、互いに一体的に形成され、ともに単一の中空筒状構造３０を画定する。
【００７５】
中空筒状構造３０は、支持部材７２（図９において破線で示す）の全体に摩擦係合している。
【００７６】
第１の糸１６の部分は、中空筒状構造３０を支持部材７２に摩擦係合した状態に維持するように、別個の第２の結合形成体３６により互いに結合されている。また、第１の糸１６の部分は、別個の第１の結合形成体３４を介して支持部材７２に直接結合されている。
【００７７】
使用に際し、活性化生地取付形成体７８のそれぞれの端部により、支持部材７２を１つ以上の縫い目を介して乳房支持編成内に容易に固定することができる。
【００７８】
図１０は、本発明の別の実施形態によるケーシング組立体１１０の部分断面図である。
【００７９】
ケーシング組立体１１０は、第１および第２のケーシング端部１１４、１１６を有する中空筒状生地ケーシング１１２を含む。好適なタイプの生地ケーシング１１２は、Stretchline UK Limited社により製造および販売されているFortitube（登録商標）ケーシングである。
【００８０】
生地ケーシング１１２内には、第２の生地支持組立体９０が設けられている。ケーシング組立体の他の実施形態（図示せず）では、第１の生地支持組立体７０が生地ケーシング１１２内に設けられていてもよい。
【００８１】
第２の生地支持組立体９０の活性化生地取付形成体７８の各端部は、対応するケーシング端部１１４、１１６に対して固定されている。
【００８２】
図示の実施形態において、活性化生地取付形成体７８の各端部は、複数の縫い目１１８（明瞭さのため、第１のケーシング端部１１４における縫い目のみ示す）により固定されている。
【００８３】
使用に際し、柔軟な活性化生地取付形成体７８が第２の生地支持組立体を生地ケーシング１１２に対して固定することで、生地ケーシング１１２内における支持組立体９０の移動を抑止している。
【００８４】
ケーシング組立体１１０は、従来のケーシング組立体と同様に、例えば縫い合わせにより、乳房支持編成内に容易に固定することができる。次いで、乳房支持編成は、衣料品、乳房支持下着品、またはブラジャの形態としてもよい。
【００８５】
第１の生地支持組立体７０は、第１および第２の端部７４、７６を有する弾力的に変形可能な支持部材７２を提供するとともに第１の生地取付形成体１０を第１および第２の端部７４、７６の各々に係合させることにより製造される。
【００８６】
第１および第２の端部７４、７６の各々への第１の生地取付形成体１０の固定は、各端部７４、７６を対応する第１の生地取付形成体１０の中空構造２８に挿入することにより達成される。
【００８７】
一旦、支持部材７２の各端部７４、７６が対応する中空構造２８内に挿入されると、各中空構造２８は、長さ方向に伸張され、前記中空構造２８を支持部材７２の対応する第１または第２の端部７４、７６に摩擦係合させる。
【００８８】
次いで、第１の生地支持組立体７０を加熱し、結合要素２０を融解させる。
【００８９】
冷却後、各活性化生地取付形成体７８における第１の糸１６の部分は、別個の第２の結合形成体３６により互いに結合され、第１の糸１６の他の部分は、それぞれの別個の第１の結合形成体３４を介して支持部材７２の対応する第１または第２の端部７４、７６に直接結合される。
【００９０】
第２の生地支持組立体９０は、第１の生地支持組立体７０と同様の方法で製造される。
【００９１】
しかし、第２の生地支持組立体９０の製造においては、単一の第１の生地取付形成体１０が第１および第２の端部７４、７６の各々に係合される。
【図１】
2013501861.tif 000003
【図２（ａ）】
2013501861.tif 000004
【図２（ｂ）】
2013501861.tif 000005
【図２（ｃ）】
2013501861.tif 000006
【図２（ｄ）】
2013501861.tif 000007
【図３】
2013501861.tif 000008
【図４（ａ）】
2013501861.tif 000009
【図４（ｂ）】
2013501861.tif 000010
【図４（ｃ）】
2013501861.tif 000011
【図４（ｄ）】
2013501861.tif 000012
【図５】
2013501861.tif 000013
【図６（ａ）】
2013501861.tif 000014
【図６（ｂ）】
2013501861.tif 000015
【図６（ｃ）】
2013501861.tif 000016
【図７】
2013501861.tif 000017
【図８】
2013501861.tif 000018
【図９】
2013501861.tif 000019
【図１０】
2013501861.tif 000020
【国際調査報告】
2013501861.tif 000021
2013501861.tif 000022